(57)【特許請求の範囲】
【請求項１】
回転軸の外側位置に配置されるリング状の鉄芯部材を有し、前記鉄芯部材のリング部より内側に突出形成された複数個の磁極歯のそれぞれにコイルを巻回して形成された一対の異磁性の磁極片部からなる電磁石が複数組、前記回転軸に対向し、前記各電磁石の一対の磁極片部間に形成される磁束によって前記回転軸を非接触支持するラジアル磁気軸受装置において、
円周方向に隣り合う異なる電磁石の磁極片部であって隣り合う磁極片部の磁性が、異磁性となるようにし、前記隣り合う異なる電磁石の異磁性の磁極片部間の前記リング部に、両端部のそれぞれの磁性が前記隣り合う異なる電磁石のそれぞれの磁極片部の磁性と同一となるように通電される２次巻線を施し、前記異磁性の磁極片部間の前記リング部を、局所的に磁気飽和させたことを特徴とするラジアル磁気軸受装置。
【請求項２】
前記円周方向に隣り合う異なる電磁石の磁極片部であって隣り合う磁極片部間の円周方向間隔を、前記各電磁石の一対の異磁性の磁極片部間の円周方向間隔より大きくしたことを特徴とする請求項１に記載のラジアル磁気軸受装置。
【請求項３】
前記円周方向に隣り合う異なる電磁石の磁極片部間の前記リング部の横断面積が、他のリング部に比して小さいことを特徴とする請求項１又は２に記載のラジアル磁気軸受装置。
【請求項４】
前記円周方向に隣り合う異なる電磁石の磁極片部であって隣り合う磁極片部間の前記リング部に、対をなす貫通開口が形成され、該貫通開口を通して前記２次巻線が施されていることを特徴とする請求項１〜３のいずれか一つに記載のラジアル磁気軸受装置。
【発明の詳細な説明】
【０００１】
【発明の属する技術分野】
この発明は、回転軸を非接触支持するラジアル磁気軸受装置に関し、特に、支持対象の回転軸の外側位置に配置されたリング状の鉄芯部材に形成される一対の磁極片部からなる複数個の電磁石によって回転軸を半径方向から非接触で支持するラジアル磁気軸受装置に関するものである。
【０００２】
【従来の技術】
支持対象の回転軸の外側位置に配置されたリング状の鉄芯部材に形成される一対の磁極片部からなる複数個の電磁石によって回転軸を半径方向から非接触で支持するラジアル磁気軸受装置は従来より知られており、この種のラジアル磁気軸受装置は、たとえば、実開昭３−３３２１９号公報に示されている。
【０００３】
図７は、従来におけるラジアル磁気軸受装置の一般的構成を示している。ラジアル磁気軸受装置は、支持対象の回転軸１の外側位置に配置され、コア板を軸方向に複数枚積層してなるリング状の鉄芯部材１０を有し、鉄芯部材１０のリング部１１より内側に突出形成された櫛歯状の複数個（８本）の磁極歯１２のそれぞれにコイル１３を巻回されることで形成された一対の異磁極（Ｓ極、Ｎ極）の磁極片部１４、１５からなる複数個（４組）の電磁石１６が回転軸１に対向し、その各電磁石１６の磁極片部１４、１５間に形成される磁束によって回転軸１を非接触支持するようになっている。各電磁石１６には、Ｘ軸方向制御のための磁束Ｈｘ1 ，Ｈｘ2 と、Ｙ軸方向制御のための磁束Ｈｙ1 ，Ｈｙ2 が形成される。
【０００４】
このラジアル磁気軸受装置では、図示しない変位センサにより回転軸１のＸ軸方向、Ｙ軸方向の変位を検出し、センサ出力信号を図示しない軸受制御装置に入力し、制御装置によって４つの電磁石１６に通電する電流値を制御し、各電磁石１６の電磁力を釣合わせることが行われる。これにより、回転軸１が非接触状態で支持され、回転軸１と軸受との摩擦抵抗をなくして回転軸１の高速回転化や装置の高性能化が図られる。
【０００５】
上述のような従来のラジアル磁気軸受装置では、リング状の鉄芯部材１０を使用するから、鉄芯部材１０の外周はリング部１１で全周に亙って磁気的に連続しており、円周方向に隣り合う電磁石１６の磁極片部１４、１５間の磁気抵抗が比較的小さい。このため、図７に破線で示されているように、隣接する電磁石１６間に洩れ磁束ＨL が発生し、電磁石１６を形成する磁極間で磁束相互干渉が起こり、効率の低下や制御性能の低下が生じる。
【０００６】
上述のような不具合に鑑みて、特開平５−１４９３４０号公報には、円周方向に隣り合う電磁石間における部分の鉄芯部材に切り欠き（スリット）を設け、隣接する電磁石間の磁気抵抗を増やして洩れ磁束を低減することが示されている。また、図８に示されているように、円周方向に隣り合う電磁石１６間における部分の鉄芯部材１０の外周部に切り欠き１７を設けることで、円周方向に隣り合う電磁石１６間の鉄芯部材１０の横断面積を小さくし、このことによって隣接する電磁石１６間の磁気抵抗を増やして洩れ磁束を低減することが考えられている。
【０００７】
【発明が解決しようとする課題】
しかしながら、上述のいずれのものも、隣接する電磁石間の磁路を完全に遮断するものではないから、互いに異なる（隣接する）電磁石の磁極間に跨って発生する洩れ磁束を完全になくしたり、充分に低減することはできない。このため、隣接する電磁石間に不正な磁路が形成されることを充分に避けることができず、各電磁石間で磁路どうしが干渉して各電磁石の電磁力による釣合い制御に悪影響を与えることになる。
【０００８】
この発明は、上述の如き問題点を解消するためになされたもので、隣接する電磁石の磁極間に跨って発生する洩れ磁束を完全〜充分に低減して隣接する電磁石間に不正な磁路が形成されることを充分に避けることができ、高効率で、制御性能の高いラジアル磁気軸受装置を得ることを目的としている。
【００１０】
【課題を解決するための手段】
上述の目的を達成するために、この発明によるラジアル磁気軸受装置は、回転軸の外側位置に配置されるリング状の鉄芯部材を有し、前記鉄芯部材のリング部より内側に突出形成された複数個の磁極歯のそれぞれにコイルを巻回して形成された一対の異磁性の磁極片部からなる電磁石が複数組、前記回転軸に対向し、前記各電磁石の一対の磁極片部間に形成される磁束によって前記回転軸を非接触支持するラジアル磁気軸受装置において、円周方向に隣り合う異なる電磁石の磁極片部であって隣り合う磁極片部の磁性が、異磁性となるようにし、前記隣り合う異なる電磁石の異磁性の磁極片部間の前記リング部に、両端部のそれぞれの磁性が前記隣り合う異なる電磁石のそれぞれの磁極片部の磁性と同一となるように通電される２次巻線を施し、前記異磁性の磁極片部間の前記リング部を、局所的に磁気飽和させたものである。
【００１１】
つぎの発明によるラジアル磁気軸受装置は、前記円周方向に隣り合う異なる電磁石の磁極片部であって隣り合う磁極片部間の円周方向間隔を、前記各電磁石の一対の異磁性の磁極片部間の円周方向間隔より大きくしたものである。
【００１２】
つぎの発明によるラジアル磁気軸受装置は、  前記円周方向に隣り合う異なる電磁石の磁極片部間の前記リング部の横断面積が、他のリング部に比して小さいものである。
【００１３】
つぎの発明によるラジアル磁気軸受装置は、前記円周方向に隣り合う異なる電磁石の磁極片部であって隣り合う磁極片部間の前記リング部に、対をなす貫通開口が形成され、該貫通開口を通して前記２次巻線が施されているものである。
【００１４】
【発明の実施の形態】
以下に添付の図を参照して、この発明にかかるラジアル磁気軸受装置の実施の形態を詳細に説明する。なお、以下に説明するこの発明の実施の形態において上述の従来例と同一構成の部分は、上述の従来例に付した符号と同一の符号を付して、その説明を省略する。
【００１５】
実施の形態１．
図１は、この発明によるラジアル磁気軸受装置の実施の形態１を示している。この実施の形態では、各磁極歯１２のそれぞれに巻回されるコイル１３の巻回方向の選定により、各電磁石１６の磁極片部１４、１５は、円周方向に隣り合う電磁石１６において互いに隣接するものどうしで磁極が同一になっている。すなわち、円周方向に隣り合う電磁石１６において磁極片部は、磁極片部１４と１４、磁極片部１５と１５と云うように、Ｓ極どうし、Ｎ極どうしで隣り合っている。
【００１６】
円周方向に隣り合う電磁石１６の磁極歯１２間におけるリング部１１には、換言すれば、円周方向に隣り合う電磁石１６の磁極片部１４と１４、磁極片部１５と１５との間に位置するリング部１１には、２次巻線２０が円周方向に施されている。２次巻線２０に通電されることにより、円周方向に隣り合う電磁石１６の磁極歯１２間におけるリング部１１が局所的に磁気飽和状態となる。
【００１７】
これにより、円周方向に隣り合う電磁石１６において同一磁極の磁極片部１４どうしあるいは１５どうしが互いに接近しているにも拘わらず、互いに異なる電磁石１６の磁性磁極間へ跨る洩れ磁束が発生することが防止される。換言すれば、隣接する各電磁石１６の隣合う同磁性磁極間に対応する位置に設けられた２次巻線２０が励磁されることにより、２次巻線部鉄心が局所的に磁気飽和状態となり、各電磁石１６の異磁性磁極間へ跨る洩れ磁束の発生が防止される。
【００１８】
２次巻線２０に通電する電流は定電流でよく、２次巻線２０は定電圧励磁されればよい。このように、２次巻線２０が定電圧励磁されると、２次巻線２０の発生磁束は一定なものとなり、磁束飽和領域は円周方向に隣り合う電磁石１６間に限られるから、２次巻線２０が各電磁石１６の釣合い制御に悪影響を与えることはない。
【００１９】
この結果、不正な磁路の形成を確実に防止でき、各電磁石１６毎に磁路を独立させて磁路どうしの干渉を防止し、制御性能の向上を図ることができる。
【００２０】
実施の形態２．
図２は、この発明によるラジアル磁気軸受装置の実施の形態２を示している。なお、図２において、図１に対応する部分は図１に付した符号と同一の符号を付けて、その説明を省略する。
【００２１】
この実施の形態では、各磁極歯１２のそれぞれに巻回されるコイル１３の巻回方向の選定により、各電磁石１６の磁極片部１４、１５は、円周方向に隣り合う電磁石１６において互いに隣接するものどうしで磁極が異なっている。すなわち、円周方向に隣り合う電磁石１６において磁極片部は、磁極片部１４と１５と云うように、Ｓ極とＮ極とで隣り合っている。
【００２２】
円周方向に隣り合う電磁石１６の磁極歯１２間におけるリング部１１には、換言すれば、円周方向に隣り合う電磁石１６の磁極片部１４と１５との間に位置するリング部１１には、２次巻線２０が円周方向に施されている。２次巻線２０の励磁による発生磁極は、その両端にある電磁石１６の磁極と一致するようになっている。すなわち、２次巻線２０の両端における磁極が、その両端に位置する電磁石１６の磁極片部１４、１５の磁極と同一になっている。
【００２３】
この実施の形態でも、２次巻線２０に通電されることにより、円周方向に隣り合う電磁石１６の磁極歯１２間におけるリング部１１が局所的に磁気飽和状態となる。
【００２４】
さらに、２次巻線２０の両端磁極はその両端にある電磁石磁極と一致するため、磁気飽和領域が拡大し、異磁性磁極どうしが互いに接近しているにも拘わらず、互いに異なる電磁石１６の異磁性磁極間へ跨る洩れ磁束が発生することが効果的に防止される。すなわち、隣接する各電磁石１６の隣合う異磁性磁極に対応する位置において、その両端にある電磁石磁極と磁性が一致するように施した２次巻線２０が励磁されることにより、２次巻線部鉄心、およびその両端付近鉄心が局所的に磁気飽和状態となり、各電磁石２０の異磁性磁極間へ跨る洩れ磁束の発生がより確実に防止される。
【００２５】
この実施の形態でも、２次巻線２０に通電する電流は定電流でよく、２次巻線２０は定電圧励磁されればよい。このように、２次巻線２０が定電圧励磁されると、２次巻線２０の発生磁束は一定なものとなり、磁束飽和領域は円周方向に隣り合う電磁石１６間に限られるから、２次巻線２０が各電磁石１６の釣合い制御に悪影響を与えることはない。
【００２６】
この結果、不正な磁路の形成を、より一層、確実に防止でき、各電磁石１６毎に磁路を独立させて磁路どうしの干渉を防止し、制御性能の向上を図ることができる。
【００２７】
実施の形態３．
図３は、この発明によるラジアル磁気軸受装置の実施の形態３を示している。なお、図３においても、図１に対応する部分は図１に付した符号と同一の符号を付けて、その説明を省略する。
【００２８】
この実施の形態は、実施の形態１の変形例であり、実施の形態１における場合と同様に、各磁極歯１２のそれぞれに巻回されるコイル１３の巻回方向の選定により、各電磁石１６の磁極片部１４、１５は、円周方向に隣り合う電磁石１６において互いに隣接するものどうしで磁極が同一になっている。すなわち、円周方向に隣り合う電磁石１６において磁極片部は、磁極片部１４と１４、磁極片部１５と１５と云うように、Ｓ極どうし、Ｎ極どうしで隣り合っている。
【００２９】
この実施の形態では、磁極歯１２は円周方向に不等間隔に配置され、円周方向に隣り合う電磁石１６の磁極片部１４、１４間と１５、１５間の円周方向間隔が、一つの電磁石１６において対をなす磁極片部１４、１５間の円周方向間隔より大きくなっている。これにより、円周方向に隣り合う電磁石１６間の磁気抵抗が大きくなる。
【００３０】
円周方向に隣り合う電磁石１６の磁極歯１２間におけるリング部１１には、換言すれば、円周方向に隣り合う電磁石１６の磁極片部１４と１４、磁極片部１５と１５との間に位置するリング部１１には、２次巻線２０が円周方向に施されている。
【００３１】
２次巻線２０に通電されることにより、円周方向に隣り合う電磁石１６の磁極歯１２間におけるリング部１１が局所的に磁気飽和状態となる。これにより、円周方向に隣り合う電磁石１６において同一磁極の磁極片部１４どうしあるいは１５どうしが互いに接近しているにも拘わらず、互いに異なる電磁石１６の異磁性磁極間へ跨る洩れ磁束が発生することが防止される。
【００３２】
２次巻線２０に通電する電流は定電流でよく、２次巻線２０は定電圧励磁されればよい。このように、２次巻線２０が定電圧励磁されると、２次巻線２０の発生磁束は一定なものとなり、磁束飽和領域は円周方向に隣り合う電磁石１６間に限られるから、２次巻線２０が各電磁石１６の釣合い制御に悪影響を与えることはない。
【００３３】
この結果、円周方向に隣り合う電磁石１６間の磁気抵抗が大きいことと相まって、不正な磁路の形成を確実に防止でき、各電磁石１６毎に磁路を独立させて磁路どうしの干渉を防止し、制御性能の向上を図ることができる。
【００３４】
実施の形態４．
図４は、この発明によるラジアル磁気軸受装置の実施の形態４を示している。なお、図４においても、図１に対応する部分は図１に付した符号と同一の符号を付けてその説明を省略する。
【００３５】
この実施の形態は、実施の形態２の変形例であり、実施の形態２における場合と同様に、各磁極歯１２のそれぞれに巻回されるコイル１３の巻回方向の選定により、各電磁石１６の磁極片部１４、１５は、円周方向に隣り合う電磁石１６において互いに隣接するものどうしで磁極が異なっている。すなわち、円周方向に隣り合う電磁石１６において磁極片部は、磁極片部１４と１５と云うように、Ｓ極とＮ極とで隣り合っている。
【００３６】
この実施の形態では、実施の形態３と同様に、磁極歯１２は円周方向に不等間隔に配置され、円周方向に隣り合う電磁石１６の磁極片部１４と１５との間の円周方向間隔が、一つの電磁石１６において対をなす磁極片部１４と１５との間の円周方向間隔より大きくなっている。これにより、円周方向に隣り合う電磁石１６間の磁気抵抗が大きくなる。
【００３７】
円周方向に隣り合う電磁石１６の磁極歯１２間におけるリング部１１には、換言すれば、円周方向に隣り合う電磁石１６の磁極片部１４と１５との間に位置するリング部１１には、２次巻線２０が円周方向に施されている。２次巻線２０の励磁による発生磁極は、その両端にある電磁石１６の磁極と一致するようになっている。すなわち、２次巻線２０の両端における磁極が、その両端に位置する電磁石１６の磁極片部１４、１５の磁極と同一になっている。
【００３８】
この実施の形態でも、２次巻線２０に通電されることにより、円周方向に隣り合う電磁石１６の磁極歯１２間におけるリング部１１が局所的に磁気飽和状態となる。さらに、２次巻線２０の両端磁極はその両端にある電磁石磁極と一致するため、磁気飽和領域が拡大し、異磁性磁極どうしが互いに接近しているにも拘わらず、互いに異なる電磁石１６の異磁性磁極間へ跨る洩れ磁束が発生することが効果的に防止される。
【００３９】
この実施の形態でも、２次巻線２０に通電する電流は定電流でよく、２次巻線２０は定電圧励磁されればよい。このように、２次巻線２０が定電圧励磁されると、２次巻線２０の発生磁束は一定なものとなり、磁束飽和領域は円周方向に隣り合う電磁石１６間に限られるから、２次巻線２０が各電磁石１６の釣合い制御に悪影響を与えることはない。
【００４０】
この結果、円周方向に隣り合う電磁石１６間の磁気抵抗が大きいことと相まって、不正な磁路の形成を、より一層、確実に防止でき、各電磁石１６毎に磁路を独立させて磁路どうしの干渉を防止し、制御性能の向上を図ることができる。
【００４１】
実施の形態５．
図５は、この発明によるラジアル磁気軸受装置の実施の形態５を示している。なお、図５においても、図１に対応する部分は図１に付した符号と同一の符号を付けて、その説明を省略する。
【００４２】
この実施の形態では、円周方向に隣り合う電磁石１６の磁極歯１２間におけるリング部１１の外周部に、電磁石磁極間の磁気抵抗を増加させるに十分な大きさの切り欠き部２１が設けられている。これにより、この部分、すなわち、円周方向に隣り合う電磁石１６の磁極歯１２間におけるリング部１１の横断面積が他の部分に比して小さくなっており、この部分に２次巻線２０を施されている。
【００４３】
円周方向に隣り合う電磁石１６の磁極歯１２間におけるリング部１１の横断面積が他の部分に比して小さいことにより、円周方向に隣り合う電磁石１６間の磁気抵抗が大きくなる。これにより、洩れ磁束の発生を軽減できる。
【００４４】
また、この実施の形態でも、２次巻線２０に通電されることにより、円周方向に隣り合う電磁石１６の磁極歯１２間におけるリング部１１、特に切り欠き部２１による小横断面積部分が局所的に磁気飽和状態となる。これにより、円周方向に隣り合う電磁石１６において同一磁極の磁極片部１４どうしあるいは１５どうしが互いに接近しているにも拘わらず、互いに異なる電磁石１６の異磁性磁極間へ跨る洩れ磁束が発生することが防止される。
【００４５】
２次巻線２０に通電する電流は定電流でよく、２次巻線２０は定電圧励磁されればよい。このように、２次巻線２０が定電圧励磁されると、２次巻線２０の発生磁束は一定なものとなり、磁束飽和領域は円周方向に隣り合う電磁石１６間に限られるから、２次巻線２０が各電磁石１６の釣合い制御に悪影響を与えることはない。
【００４６】
この結果、円周方向に隣り合う電磁石１６間の磁気抵抗が大きいことと相まって、不正な磁路の形成を確実に防止でき、各電磁石１６毎に磁路を独立させて磁路どうしの干渉を防止し、制御性能の向上を図ることができる。
【００４７】
なお、この実施の形態は、実施の形態２、３、４に対しても同様に適用することができる。
【００４８】
実施の形態６．
図６は、この発明によるラジアル磁気軸受装置の実施の形態６を示している。なお、図６においても、図１に対応する部分は図１に付した符号と同一の符号を付けて、その説明を省略する。
【００４９】
この実施の形態では、円周方向に隣り合う電磁石１６の磁極歯１２間におけるリング部１１に、対をなして電磁石磁極間の磁気抵抗を増加させるに十分な大きさの貫通開口２２が形成され、この貫通開口２２を通して２次巻線２０を施されている。円周方向に隣り合う電磁石１６の磁極歯１２間におけるリング部１１に貫通開口２２が形成されていることにより、リング部１１の横断面積が他の部分に比して小さくなり、円周方向に隣り合う電磁石１６間の磁気抵抗が大きくなる。これにより、洩れ磁束の発生を軽減できる。
【００５０】
また、この実施の形態でも、２次巻線２０に通電されることにより、円周方向に隣り合う電磁石１６の磁極歯１２間におけるリング部１１、特に、貫通開口２２の近傍部が局所的に磁気飽和状態となる。これにより、円周方向に隣り合う電磁石１６において同一磁極の磁極片部１４どうしあるいは１５どうしが互いに接近しているにも拘わらず、互いに異なる電磁石１６の異磁性磁極間へ跨る洩れ磁束が発生することが防止される。
【００５１】
２次巻線２０に通電する電流は定電流でよく、２次巻線２０は定電圧励磁されればよい。このように、２次巻線２０が定電圧励磁されると、２次巻線２０の発生磁束は一定なものとなり、磁束飽和領域は円周方向に隣り合う電磁石１６間に限られるから、２次巻線２０が各電磁石１６の釣合い制御に悪影響を与えることはない。
【００５２】
この結果、円周方向に隣り合う電磁石１６間の磁気抵抗が大きいことと相まって、不正な磁路の形成を確実に防止でき、各電磁石１６毎に磁路を独立させて磁路どうしの干渉を防止し、制御性能の向上を図ることができる。
【００５３】
なお、この実施の形態は、実施の形態２、３、４、５に対しても同様に適用することができる。
【００５４】
なお、この発明は、上述の如き各実施の形態のものに限定されるものではなく、その他、種々の変形例を含むものである。例えば、実施の形態６では、各電磁石間に２個一対の貫通開口を４組構成し、この貫通開口を利用して軸線方向に２次巻線を施したが、２個一対の貫通開口を一つなぎにして、２次巻線を磁気軸受の円周方向に巻回してもよい。
【００５６】
【発明の効果】
上述の説明より理解できるように、この発明によるラジアル磁気軸受装置によれば、円周方向に隣り合う異なる電磁石の磁極片部であって隣り合う磁極片部の磁性が、異磁性となるようにし、前記隣り合う異なる電磁石の異磁性の磁極片部間の前記リング部に、両端部のそれぞれの磁性が前記隣り合う異なる電磁石のそれぞれの磁極片部の磁性と同一となるように通電される２次巻線を施し、２次巻線を励磁することにより、２次巻線部鉄心、およびその両端付近鉄心が局所的に磁気飽和状態となり、各電磁石の異磁性磁片部間へ跨る洩れ磁束の発生をより確実に防止できる。また、２次巻線は定電圧励磁のため、その発生磁束は一定であり、各電磁石の釣合い制御に影響を与えることなく、磁路どうしの干渉を防止して、制御性能の向上をさらに図ることができる。
【００５７】
つぎの発明によるラジアル磁気軸受装置によれば、円周方向に隣り合う異なる電磁石の磁極片部であって隣り合う磁極片部間の円周方向間隔を、前記各電磁石の一対の異磁性の磁極片部間の円周方向間隔より大きくしたので、各電磁石間の磁気抵抗が増大され、洩れ磁束の発生を軽減できる。さらに、隣接する各電磁石の隣合う異磁性磁極片部間に対応する位置に設けられた２次巻線を励磁することにより、２次巻線部鉄心が局所的に磁気飽和状態となり、各電磁石の異磁性磁極片部間へ跨る洩れ磁束の発生をより確実に防止できる。また、２次巻線は定電圧励磁のため、その発生磁束は一定であり、各電磁石の釣合い制御に影響を与えることなく、磁路どうしの干渉を防止して、制御性能の向上を図ることができる。
【００５８】
つぎの発明によるラジアル磁気軸受装置によれば、円周方向に隣り合う異なる電磁石の磁極片部間の前記リング部の横断面積が、他のリング部に比して小さいことにより、電磁石磁片部間の磁気抵抗が増加し、洩れ磁束の発生を軽減できる。さらに、横断面積が小さいところに施した２次巻線を励磁することにより、この小横断面積部分が局所的に磁気飽和状態となり、各電磁石の異磁性磁極片部間へ跨る洩れ磁束をより確実に防止できる。また、２次巻線は定電圧励磁のため、その発生磁束は一定であり、各電磁石の釣合い制御に影響を与えることなく、磁路どうしの干渉を防止して、制御性能の向上をさらに図ることができる。
【００５９】
つぎの発明によるラジアル磁気軸受装置によれば、円周方向に隣り合う異なる電磁石の磁極片部であって隣り合う磁極片部間の前記リング部に、対をなす貫通開口が形成され、該貫通開口を通して前記２次巻線が施されているので、貫通開口により、電磁石磁極片部間の磁気抵抗が増加し、洩れ磁束の発生を軽減できる。さらに、貫通開口を通して施した２次巻線を励磁することにより、貫通開口近傍の鉄心が局所的に磁気飽和状態となり、各電磁石の異磁性磁極片部間へ跨る洩れ磁束の発生をより確実に防止できる。また、２次巻線は定電圧励磁のため、その発生磁束は一定であり、各電磁石の釣合い制御に影響を与えることなく、磁路どうしの干渉を防止して、制御性能の向上をさらに図ることができる。
【図面の簡単な説明】
【図１】  この発明によるラジアル磁気軸受装置の実施の形態１を示す構成図である。
【図２】  この発明によるラジアル磁気軸受装置の実施の形態２を示す構成図である。
【図３】  この発明によるラジアル磁気軸受装置の実施の形態３を示す構成図である。
【図４】  この発明によるラジアル磁気軸受装置の実施の形態４を示す構成図である。
【図５】  この発明によるラジアル磁気軸受装置の実施の形態５を示す構成図である。
【図６】  この発明によるラジアル磁気軸受装置の実施の形態６を示す構成図である。
【図７】  従来におけるラジアル磁気軸受装置の一例を示す構成図である。
【図８】  従来におけるラジアル磁気軸受装置の他の一例を示す構成図である。
【符号の説明】
１  回転軸、１０  鉄芯部材、１１  リング部、１２  磁極歯、１３  コイル、１４，１５  磁極片部、１６  電磁石、２０  ２次巻線、２１  切り欠き部、２２  貫通開口。
【図１】
0004195129.tif 000002
【図２】
0004195129.tif 000003
【図３】
0004195129.tif 000004
【図４】
0004195129.tif 000005
【図５】
0004195129.tif 000006
【図６】
0004195129.tif 000007
【図７】
0004195129.tif 000008
【図８】
0004195129.tif 000009